(57)【要約】【課題】  本考案は断裁作業の都度断裁紙の枚数を計数することなく各回の枚数を自動計測し、作業単位の合計枚数も自動集計して記憶し表示し管理して記録を得ることのできる自動収集管理システムを新規に提供することを解決する課題とするものである。【解決手段】  本考案は、積み重ね揃えした多数の紙を断裁機にかけて所定寸法等に断裁するに当って、断裁枚数を自動集計するために１００枚等の基準枚数の高さから１枚の厚み数値を算出し記憶する手段と、依頼人別等の作業アドレスを入力しておく手段と、断裁機にかけて断裁する高さを前記１枚の厚みで割って算出される断裁枚数を自動計算し入力する手段と、該断裁を前記作業アドレスに照合して依頼人別等の合計枚数，合計作業時間等を自動計算して記録し管理表示する手段と、これらを読みとりする手段とを有せしめたことを特徴とする断裁機における自動集計管理システムにある。【選択図】  図１
0003108619.tif 000002
【実用新案登録請求の範囲】
【請求項１】
積み重ね揃えした多数の紙を断裁機にかけて所定寸法等に断裁するに当って、断裁枚数を自動集計するために１００枚等の基準枚数の高さから１枚の厚み数値を算出し記憶する手段と、依頼人別等の作業アドレスを入力しておく手段と、断裁機にかけて断裁する高さを前記１枚の厚みで割って算出される断裁枚数を自動計算し入力する手段と、該断裁を前記作業アドレスに照合して依頼人別等の合計枚数，合計作業時間等を自動計算して記録し管理表示する手段と、これらを読みとりする手段とを有せしめたことを特徴とする断裁機における自動集計管理システム。
【請求項２】
１枚の厚み数値を算出し記憶して断裁する高さから枚数を算出する手段にかわり、１０００枚等の断裁作業の基準となる紙の高さを計測して記憶する手段と、断裁すべき積み重ね紙の高さを計測して前記の基準となる紙の高さと照合して表示する手段とを設け、表示された数値に照合して断裁する紙の高さを調整することにより断裁作業毎の紙の枚数を一定に揃えるようにした請求項１に記載の断裁機における自動集計管理システム。
【考案の詳細な説明】
【技術分野】
【０００１】
この考案は断裁機における自動集計管理システム、詳しくは依頼人別等に断裁作業回数、断裁枚数、作業時間とそれらの合計を自動集計して記憶し管理表示し、これらを読みとることができるようにした自動集計管理システムに関するものである。
【背景技術】
【０００２】
従来の断裁作業では断裁紙を人手または計数器で計算し、これらを合計計算して作業枚数を管理するようにしている。
【特許文献１】なし
【考案の開示】
【考案が解決しようとする課題】
【０００３】
しかしながら、断裁紙は大きさ，厚さなどが多種であり、断裁の作業毎に断裁紙の枚数を計数することは手間がかかって作業能率を悪くするほか、作業の完了した合計枚数などに管理ミスが生じやすく、また詳細な記録を正確に保存して得ることはできないという課題があった。
【課題を解決するための手段】
【０００４】
本考案は、積み重ね揃えした多数の紙を断裁機にかけて所定寸法等に断裁するに当って、断裁枚数を自動集計するために１００枚等の基準枚数の高さから１枚の厚み数値を算出し記憶する手段と、依頼人別等の作業アドレスを入力しておく手段と、断裁機にかけて断裁する高さを前記１枚の厚みで割って算出される断裁枚数を自動計算し入力する手段と、該断裁を前記作業アドレスに照合して依頼人別等の合計枚数，合計作業時間等を自動計算して記録し管理表示する手段と、これらを読みとりする手段とを有せしめることにより、また１枚の厚み数値を算出し記憶して断裁する高さから枚数を算出する手段にかわり、１０００枚等の断裁作業の基準となる紙の高さを計測して記憶する手段と、断裁すべき積み重ね紙の高さを計測して前記の基準となる紙の高さと照合して表示する手段とを設けることにより、かかる課題を解決するようにしたのである。
【考案の効果】
【０００５】
本考案は、予め算出し記憶した断裁紙１枚の厚みを基に作業各回毎の断裁の高さから紙の枚数を自動算出して入力し記憶し、作業アドレスに照合して依頼人別さらに仕事別等の合計枚数を自動計算し、その他作業の開始時刻，断裁数，終了時刻等と併せて記憶し表示し、それらの詳細な記録を読みとりして得られるようにしたので、作業能率を格段に向上することができるとともに完了した断裁紙の合計枚数等を正確に管理することができるという効果を生ずる。
【０００６】
断裁基準枚数の高さを計測して記憶し、断裁する高さを計測して前記基準の高さと照合して表示する手段を設けるときは、簡単な高さ調整によって作業ごとの枚数を揃えることができるので、作業完了ごとの保管や梱包等を簡易に行うことができるという効果を生ずる。
【０００７】
依頼人別等の作業アドレスを付して管理するようにしたので、１単位の作業の合間に別の断裁作業を挿入することができて、作業効率を向上することができるという効果を生ずる。
【考案を実施するための最良の形態】
【０００８】
本考案は、積み重ね揃えした多数の紙を断裁機にかけて所定寸法等に断裁するに当って、断裁枚数を自動集計するために１００枚等の基準枚数の高さから１枚の厚み数値を算出し記憶する手段と、依頼人別等の作業アドレスを入力しておく手段と、断裁機にかけて断裁する高さを前記１枚の厚みで割って算出される断裁枚数を自動計算し入力する手段と、該断裁を前記作業アドレスに照合して依頼人別の合計枚数，合計作業時間，断裁回数等を記憶し管理表示する手段と、これらの記録を読みとりする手段とを有せしめたことにより、断裁の作業と管理を著しく簡便にすることができる。
【実施例１】
【０００９】
図１と図２は本考案の自動集計管理システムの簡単な構成図と断裁機の１例を示すもので、断裁機１の作業台２上を上下動するクランプゲージ３に作業台からの高さを計測するためのエンコーダ４を取付ける。５はエンコーダ３と制御用のシーケンサ６を介して接続する入力手段と表示手段とを兼用するタッチパネルであり、７はタッチパネルに接続した算出・自動集計の手段たる演算・記録保存用のデータ収集装置である。
【００１０】
作業台２上にこれから断裁しようとする種類の断裁紙Ｐを厚いものなら５０枚、薄いものなら１００枚などの基準単位で数えて載せ、その枚数をタッチパネル５から入力する。次いでクランプゲージ３を降下して積み重ねた断裁紙Ｐの高さを検出すると入力し記憶した枚数との演算により断裁紙１枚の厚みを自動算出し、図４の例示画面に示すように表示するのでこれを記憶させる。
【００１１】
１枚の厚さ算出の前または本作業の開始前に依頼人やその仕事別等のこれから行う断裁作業の作業アドレスをタッチパネル５から入力して記憶させる。併せてタイトルを入力して記憶させることによってより識別しやすい環境を作ることができる。
【００１２】
断裁する断裁紙Ｐを適当な枚数にて作業台２上に載せて予備作業スイッチをＯＮすると、クランプゲージ３が降下して断裁紙Ｐの高さを検出し、図５に示すように先に記憶した断裁紙Ｐの１枚の厚さを基にして断裁紙Ｐの枚数を自動計算して記憶する。その後断裁開始スイッチをＯＮすると断裁紙Ｐの送りと設定の断裁が行われて１回の作業を完了する。これを第１回目の作業として、日付を含む開始時刻、断裁回数、終了時刻などと相関して記憶して、記録された枚数，開始・終了時刻と断裁回数が管理されてタッチパネル５の画面に表示されるのである。
【００１３】
同様にして第２回、３回・・・と作業を繰返すごとに図６に示すように各作業回ごとの枚数のほか，時間，断裁回数が記憶されると同時に合計の枚数・作業時間・断裁回数を自動集計して記憶し、図７に示すように表示して読みとることができるようにしたので、作業者は予定数と照らして作業を能率よく進めることができることとなる。
【００１４】
また断裁機外部のコンピュータ８やプリンタ９を接続することにより作業の経過を別所で管理し、記録をプリントアウトして得ることもできる。また記録の一部または全部をメモリーカード１０等に記録し保存して携帯することもできるようにしている。表計算ソフトなどを利用することにより計算された数値をもとに納品書，請求書等を正確且つ迅速容易に作成することができ、また納入先依頼人も保存された記録数値を利用して自前のコンピュータ１１での管理をすることができることとなる。
【００１５】
なお各作業に識別用の作業アドレスを付けて作業を一括して管理するようにしたので、１単位の作業が数日に亘って行われる時でも作業アドレスによる保存・呼出しによって１つの仕事として管理し自動集計を行うことができるものとなる。１単位の作業の間に別の作業を行うこともできる。また作業アドレスは多数を入力して管理することができるようにしたので、１台の断裁機１を効率よく稼働して複数単位の作業を交替で行うことができることとなる。
【実施例２】
【００１６】
断裁紙１枚の厚さを検出して適当な枚数で載せる断裁紙Ｐの枚数を高さから検出することにかえて、断裁紙Ｐの枚数を断裁紙Ｐの高さを計測することにより表示するようにした例を示すものである。図８に示すような高さ検知画面より１回の作業に適した断裁紙Ｐの枚数、例えば１０００枚を作業台２に載せ、クランプゲージ４を降下して高さを検出した点でリセットすることにより、１０００枚の高さを０数値とするのである。次回の作業からはおよその目安で供給した積み重ね断裁紙Ｐに向けてクランプゲージ４を降下すれば、１０００枚の高さと照合してそれより多いときにはプラスの数値、少ないときにはマイナスの数値が表示されるので、その数値に照らして断裁紙Ｐを増減することによって０数値となるように１回の作業枚数を一律に調整するのである。かくするときは毎回の作業枚数を計数することなく簡単な増減調整で同じ枚数とすることができるので、各回バラバラの数を集計することなくして作業回数だけで完了した作業枚数を管理することができることとなる。また揃った枚数で作業するので作業を終えた断裁紙Ｐを同数単位で保管・梱包等することができることとなり、商品管理を簡易にすることができる。
【産業上の利用可能性】
【００１７】
本考案の自動集計管理システムは、簡単に追加設置することができるので、既に稼働している既存の断裁機にも広く利用することができるものである。
【図面の簡単な説明】
【００１８】
【図１】システムの構成例図
【図２】断裁機の１例の正面図
【図３】表示画面のレイアウト例のうちのメニュー画面
【図４】同、紙１枚厚さ計算画面
【図５】同、作動後のメニュー画面
【図６】同、各回データ表示画面
【図７】同、データ集計画面
【図８】同、高さ検知画面
【符号の説明】
【００１９】
１は断裁機
２は作業台
３はクランプゲージ
４はエンコーダ
５はタッチパネル
６はシーケンサ
７はデータ収集装置
８はコンピュータ
９はプリンタ
１０はメモリーカード
１１はコンピュータ
【図１】
0003108619.tif 000003
【図２】
0003108619.tif 000004
【図３】
0003108619.tif 000005
【図４】
0003108619.tif 000006
【図５】
0003108619.tif 000007
【図６】
0003108619.tif 000008
【図７】
0003108619.tif 000009
【図８】
0003108619.tif 000010